(57)【要約】【課題】内部の収納空間を有効に利用することができ、また、被収納物の収納が容易で、さらに、水が付着した被収納物を収納しても他の収納物が濡れることがない釣り用バッグを提供する。【解決手段】魚釣り用バッグＡは、本体部１０と蓋部２０とを有するケース状部５と、ケース状部５内に収納される２つの収納部３０とを有し、収納部３０は、底面部３２と側面部３４とを有していて、この収納部３０に被収納物を収納した状態で、収納部３０を上下方向に積み重ねた状態でケース状部５内に収納して使用する。【選択図】図５
0003120406.tif 000002
【実用新案登録請求の範囲】
【請求項１】
魚釣り用バッグであって、
内部に収納空間を有するケース状部と、
ケース状部の内部に上下方向に積み重ねた状態で収納される複数の収納部で、被収納物を収納するための収納部と、
を有し、
各収納部が、収納部に液体を入れた場合に液体が漏れないように容器状を呈していることを特徴とする魚釣り用バッグ。
【請求項２】
上記複数の収納部における各収納部が、板状の底面部と、該底面部の周縁から立設した板状の側面部とを有することを特徴とする請求項１に記載の魚釣り用バッグ。
【請求項３】
魚釣り用バッグであって、
内部に収納空間を有するケース状部で、底面部と、該底面部の周縁から立設した側面部とを有する本体部と、該本体部の上面を開閉する蓋部と、を有するケース状部と、
該ケース状部の内部に上下方向に積み重ねた状態で収納される複数の収納部と、
を有し、
各収納部が、板状の底面部と、該底面部の周縁から立設した板状の側面部とを有することを特徴とする魚釣り用バッグ。
【請求項４】
２つの上記収納部が、ケース状部の内部に上下方向に積み重ねた状態で収納されることを特徴とする請求項１又は２又は３に記載の魚釣り用バッグ。
【考案の詳細な説明】
【技術分野】
【０００１】
本考案は、魚釣り用バッグに関するものである。
【背景技術】
【０００２】
従来より、魚釣り用のタイツ、足袋や曳舟を収納するための魚釣り用バッグが存在する。
【０００３】
このような魚釣り用のバッグの従来例としては、図８に示すものが存在する。すなわち、図８に示すように、魚釣り用バッグＢは、ケース状部１０５と、仕切り部１４０とを有し、ケース状部１０５は、本体部１１０と、蓋部１２０とを有している。この本体部１１０は、略方形状の底面部と、底面部の各辺から立設した側面部１１２とを有し、上面が開口した容器状を呈している。この本体部１１０の側面部における相対する内側面には、着脱部１３０と着脱部１３２が設けられている。この着脱部１３０、１３２は、フックテープ又はループテープの一方により構成されている。また、この本体部１１０には肩ひも部１１４が設けられている。また、蓋部１２０は、本体部１１０に対して開閉自在に形成されている。また、仕切り部１４０は、本体部１１０内の収納空間を仕切ることができるように構成されていて、本体部１４２と、本体部１４２の両側の端部から連設された片部１４４、１４６とを有し、平面視において略コ字状を呈している。この片部１４４、１４６の外側には、着脱部１５０、１５２が設けられていて、この着脱部１５０、１５２は、フックテープ又はループテープの他方により構成されている。本体部１１０内の収納空間を仕切る際には、１又は複数の仕切り部１４０が用いられる。
【０００４】
図８の構成の魚釣り用バッグＢの使用に際しては、仕切り部１４０を本体部１１０内に設置し、本体部１１０内の空間を区画する。つまり、仕切り部１４０を本体部１１０内に配置し、着脱部１５０を着脱部１３０に接着させるとともに、着脱部１５２を着脱部１３２に接着させて、仕切り部１４０を本体部１１０内に設置する。そして、区画された空間内に被収納物（例えば、魚釣り用のタイツ、足袋や曳舟等）を収納する。
【考案の開示】
【考案が解決しようとする課題】
【０００５】
しかし、上記従来の魚釣り用バッグＢにおいては、バッグ内の収納空間を横方向に仕切ることから、高さ方向の幅が小さい被収納物を収納する場合には、上部空間が空いてしまい収納空間を効率的に使用することができないという問題があった。例えば、曳舟は高さ方向によりも横方向の幅が大きいのが一般的であることからそのまま収納すると上部空間が空いてしまう。
【０００６】
また、仕切り部１４０により収納空間を仕切ることにより、区画された各収納空間の横方向の幅が小さくなることから、被収納物の収納が面倒であるという問題がある。つまり、例えば、釣り用のタイツや足袋等を収納するには、その収納空間に収納するために細かく折り畳まなければならない。
【０００７】
また、上記従来の釣り用バッグＢにおいては、バッグ内の収納空間を横方向に仕切るのみであるので、水が付着した被収納物を収納した場合には、他の被収納物も濡れてしまうという問題があった。
【０００８】
そこで、本考案は、内部の収納空間を有効に利用することができ、また、被収納物の収納が容易で、さらに、水が付着した被収納物を収納しても他の収納物が濡れることがない魚釣り用バッグを提供することを目的とするものである。
【課題を解決するための手段】
【０００９】
本考案は上記問題点を解決するために創作されたものであって、第１には、魚釣り用バッグであって、内部に収納空間を有するケース状部と、ケース状部の内部に上下方向に積み重ねた状態で収納される複数の収納部で、被収納物を収納するための収納部と、を有し、各収納部が、収納部に液体を入れた場合に液体が漏れないように容器状を呈していることを特徴とする。
【００１０】
上記第１の構成の魚釣り用バッグにおいては、収納部が上下方向に積み重ねた状態でケース状部内に収納されるので、ケース状部内の収納空間のうちの上部空間も効率的に使用することができ、内部の収納空間を有効に利用することができる。また、収納部の平面視における外形の大きさをケース状部の内部空間の平面視における大きさとほぼ同じ大きさとすることにより、収納部の収納空間における平面視の大きさを広く取ることができるので、釣り用のタイツや足袋等の被収納物を細かく折り畳む必要なく収納部内に収納することができ、被収納物の収納が容易となる。さらには、収納部は、収納部に液体を入れた場合に液体が漏れないように容器状を呈しているので、被収納物を収納部に収納された状態でケース状部に収納した場合に、水に濡れた被収納物を収納しても、他の被収納物が濡れるおそれがない。
【００１１】
また、第２には、上記第１の構成において、上記複数の収納部における各収納部が、板状の底面部と、該底面部の周縁から立設した板状の側面部とを有することを特徴とする。
【００１２】
また、第３には、魚釣り用バッグであって、内部に収納空間を有するケース状部で、底面部と、該底面部の周縁から立設した側面部とを有する本体部と、該本体部の上面を開閉する蓋部と、を有するケース状部と、該ケース状部の内部に上下方向に積み重ねた状態で収納される複数の収納部と、を有し、各収納部が、板状の底面部と、該底面部の周縁から立設した板状の側面部とを有することを特徴とする。
【００１３】
上記第３の構成の魚釣り用バッグにおいては、収納部が上下方向に積み重ねた状態でケース状部内に収納されるので、ケース状部内の収納空間のうちの上部空間も効率的に使用することができ、内部の収納空間を有効に利用することができる。また、収納部の平面視における外形の大きさをケース状部の内部空間の平面視における大きさとほぼ同じ大きさとすることにより、収納部の収納空間における平面視の大きさを広く取ることができるので、釣り用のタイツや足袋等の被収納物を細かく折り畳む必要なく収納部内に収納することができ、被収納物の収納が容易となる。さらには、収納部は、板状の底面部と、該底面部の周縁から立設した板状の側面部とを有し、収納部に液体を入れた場合に液体が漏れないように形成されているので、被収納物を収納部に収納された状態でケース状部に収納した場合に、水に濡れた被収納物を収納しても、他の被収納物が濡れるおそれがない。
【００１４】
また、第４には、上記第１から第３までのいずれかの構成において、２つの上記収納部が、ケース状部の内部に上下方向に積み重ねた状態で収納されることを特徴とする。
【考案の効果】
【００１５】
本考案に基づく魚釣り用バッグによれば、内部の収納空間を有効に利用することができ、また、被収納物の収納が容易で、さらに、水が付着した被収納物を収納しても他の収納物が濡れることがない。
【考案を実施するための最良の形態】
【００１６】
本考案においては、内部の収納空間を有効に利用することができ、また、被収納物の収納が容易で、さらに、水が付着した被収納物を収納しても他の収納物が濡れることがない魚釣り用バッグを提供するという目的を以下のようにして実現した。
【００１７】
本考案に基づく魚釣り用バッグＡは、魚釣りに用いるバッグであって、図１〜図７に示すように構成され、ケース状部５と、複数（具体的には、２つ）の収納部（「トレー部」としてもよい）３０とを有している。
【００１８】
ここで、ケース状部５は、全体に略直方体形状を呈し、本体部１０と、蓋部２０とを有している。本体部１０は、略方形状（具体的には略長方形状）の板状を呈する底面部と、該底面部の各辺から立設した側面部１２と、肩ひも部１４と、ポケット部１６とを有していて、上面が開口した容器状を呈している。
【００１９】
側面部１２は、側面部１２ａと側面部１２ｂと側面部１２ｃと側面部１２ｄとから構成され、側面部１２ａ、１２ｂ、１２ｃ、１２ｄにおける各側面部は、該底面部から垂直に立設して形成され、略方形状の板状を呈し、側面部１２ａと側面部１２ｃとは略同大同形状に形成され、互いに平行に設けられ、また、側面部１２ｂと側面部１２ｄとは略同大同形状に形成され、互いに平行に設けられている。
【００２０】
また、肩ひも部１４は、肩ひも部本体１４ａと、取付部１４ｂ、１４ｃとを有して、肩ひも部本体１４ａは、帯状のひも状を呈し、伸縮自在に構成されている。また、取付部１４ｂは、側面部１２ｂに設けられ、肩ひも部本体１４ａの一方の端部を支持している。また、取付部１４ｃは、側面部１２ｄに設けられ、肩ひも部本体１４ａの他方の端部を支持している。つまり、肩ひも部１４は、側面部１２ｂと側面部１２ｄ間に設けられている。
【００２１】
また、ポケット部１６は、ポケット部本体１６ａと、開閉部１６ｂとを有している。このポケット部本体１６ａは、略方形状のシート状部材の三方の縁部を側面部１２ａに固着することにより、上面が開口をした収納空間を形成している。また、開閉部１６ｂは、帯状を呈し、上端領域が側面部１２ａに固定され、下端領域がポケット部本体１６ａと着脱可能に形成されている。つまり、開閉部１６ｂの下端領域には、フックテープとループテープの一方が設けられ、これと対応するポケット部本体１６ａの位置にフックテープとループテープの他方が設けられていて、着脱自在となっている。これにより、ポケット部１６を開閉することが可能となる。
【００２２】
次に、蓋部２０は、略方形状の板状を呈し、本体部１０の上面を開閉自在に形成されている。つまり、蓋部２０は、背面側に設けられた接続部２４を介して本体部１０と接続されていて、本体部１０の上端と蓋部２０の周縁との間には、チャック部２２が設けられていて、このチャック部２２により蓋部２０が開閉自在に形成されている。
【００２３】
なお、ケース状部５は、基本的に防水性のある素材（例えば、ＥＶＡ）により形成されている。つまり、本体部１０を構成する底面部と側面部１２ａ、１２ｂ、１２ｃ、１２ｄとポケット部本体１６ａや、蓋部２０は、防水性のある素材（例えば、ＥＶＡ）により形成されている。
【００２４】
次に、収納部３０は、ケース状部５内に積み重ねた状態で収納されていて、各収納部３０は、同大同形状に形成されている。
【００２５】
この収納部３０は、全体に容器状を呈し、底面部３２と、該底面部３２の各辺から立設した側面部３４とを有している。側面部３４は、側面部３４ａと側面部３４ｂと側面部３４ｃと側面部３４ｄとから構成され、側面部３４ａ、３４ｂ、３４ｃ、３４ｄにおける各側面部は、該底面部から垂直に立設して形成され、略方形状の板状を呈し、側面部３４ａと側面部３４ｃとは略同大同形状に形成され、互いに平行に設けられ、また、側面部３４ｂと側面部３４ｄとは略同大同形状に形成され、互いに平行に設けられている。なお、側面部３４の高さ方向（Ｚ１−Ｚ２方向）の長さは、２つの収納部３０を積み重ねてケース状部５内に収納するため、側面部１２の高さ方向の長さの半分以下の長さに形成されている。また、収納部３０の横方向の長さは、本体部１０内に収納可能な大きさに形成されており、また、収納部３０の平面視における外形の大きさがケース状部５の内部空間の平面視における大きさとほぼ同じ大きさとなっていて、収納部３０のＸ１−Ｘ２方向の長さは、本体部１０の内部空間のＸ１−Ｘ２方向の長さよりも若干小さく形成され、また、収納部３０のＹ１−Ｙ２方向の長さは、本体部１０の内部空間のＹ１−Ｙ２方向の長さよりも若干小さく形成されている。また、側面部３４ｂと側面部３４ｄには、横長形状の開口部３６が形成されていて、収納部３０を持ち運びやすく形成している。また、この収納部３０も防水性のある素材（例えば、ＥＶＡ）により形成されている。以上のように、収納部３０は、容器状（トレー状としてもよい）を呈した形状に形成されていて、液体を入れた場合でも液体が漏れないように形成されている。
【００２６】
上記構成の魚釣り用バッグＡの使用状態について説明する。魚釣り用バッグＡの使用に当たっては、収納部３０に被収納物を入れた状態で、ケース状部５内に２つの収納部３０を積み重ねた状態で収納して使用する。
【００２７】
つまり、被収納物を魚釣り用バッグＡ内に収納する際には、蓋部２０を開けた状態として、２つの収納部３０を本体部１０内から取り出し、２つの収納部３０のうちの各収納部３０に被収納物を収納し、被収納物を収納した状態の第１の収納部３０を本体部１０内に収納し、その後、被収納物を収納した状態の第２の収納部３０を該第１の収納部３０の上に重ねた状態として本体部１０内に収納する。ここで、被収納物としては、釣り用の部材、例えば、魚釣り用のタイツ、足袋や曳舟等が挙げられ、例えば、第１の収納部３０には、魚釣り用のタイツと足袋を収納し、第２の収納部３０には、曳舟を収納する。２つの収納部３０を収納したら、蓋部２０を閉じてチャック部２２を閉じる。
【００２８】
例えば、釣りを行なった後の曳舟やタイツ、足袋等水に濡れた状態のものも収納部３０に入れた状態でケース状部５に収納すればよい。
【００２９】
以上のように、本実施例の魚釣り用バッグＡによれば、収納部３０が上下方向に積み重ねた状態でケース状部５内に収納されるので、ケース状部５内の収納空間のうちの上部空間も効率的に使用することができ、内部の収納空間を有効に利用することができる。また、収納部３０の収納空間は平面視においては広く形成され、本体部１０の収納空間における平面視の大きさとほぼ同じ大きさであるので、釣り用のタイツや足袋を細かく折り畳む必要なく収納部３０内に収納することができ、被収納物の収納が容易となる。さらには、収納部３０は、上記のように容器状を呈し、水に濡れた被収納物を収納しても、他の被収納物が濡れるおそれがない。
【００３０】
なお、収納部３０をケース状部５内に入れて使用する方法だけでなく、ケース状部５の外部で使用することも考えられる。例えば、釣り場等において、収納部３０に収納されていた被収納物を取り出し、収納部３０を水に濡れた物を置いておくために使用したり、水が入った容器を収納部３０内に置いて、水がこぼれた場合の受け皿として使用することもできる。つまり、収納部３０は容器状を呈し、液体を入れた場合でも液体が漏れないように形成されているので、そのような受け皿としても使用可能である。
【００３１】
なお、上記の説明においては、ケース状部５内に２つの収納部３０を収納するものとして説明したが、３つ以上の収納部をケース状部５内に収納できる構成としてもよい。
【図面の簡単な説明】
【００３２】
【図１】本考案の実施例に基づく魚釣り用バッグの蓋部を閉じた状態を示す前方斜視図である。
【図２】本考案の実施例に基づく魚釣り用バッグの蓋部を閉じた状態を示す後方斜視図である。
【図３】本考案の実施例に基づく魚釣り用バッグの蓋部を開けた状態を示す前方斜視図である。
【図４】収納部の構成を示す斜視図である。
【図５】本考案の実施例に基づく魚釣り用バッグの分解斜視図である。
【図６】本考案の実施例に基づく魚釣り用バッグの蓋部を閉じた状態を示す正面図である。
【図７】本考案の実施例に基づく魚釣り用バッグの蓋部を閉じた状態を示す側面図である。
【図８】従来における魚釣り用バッグを示す分解斜視図である。
【符号の説明】
【００３３】
Ａ、Ｂ  魚釣り用バッグ
５、１０５  ケース状部
１０、１１０  本体部
１２、１２ａ、１２ｂ、１２ｃ、１２ｄ、１１２  側面部
１４、１１４  肩ひも部
１６  ポケット部
２０、１２０  蓋部
２２  チャック部
３０  収納部
３２  底面部
３４、３４ａ、３４ｂ、３４ｃ、３４ｄ  側面部
【図１】
0003120406.tif 000003
【図２】
0003120406.tif 000004
【図３】
0003120406.tif 000005
【図４】
0003120406.tif 000006
【図５】
0003120406.tif 000007
【図６】
0003120406.tif 000008
【図７】
0003120406.tif 000009
【図８】
0003120406.tif 000010